(57)【要約】【課題】積み重ねて保管可能な電気測定器を提供する。【解決手段】それぞれ傾斜している第１の面１ａと第２の面１ｂと、第１の面１ａと第２の面１ｂの交差部分に設けられた上面２と、第１の面１ａ及び第２の面１ｂにそれぞれ設けられたメータ４ａ，４ｂとを備える電気計測器である。上面２の下側には第１の面１ａと第２の面１ｂにより逆Ｖ字状の空間部Ｓが形成される。複数の電気計測器を積み重ねたときに、上側の電気計測器の第１の面の背面と第２の面の背面がそれぞれ下側の電気計測器の第１の面の表面と第２の面の表面に接触して保持される。【選択図】        図１
2004150799.tif 000002
【特許請求の範囲】
【請求項１】
それぞれ傾斜している第１の面と第２の面と、前記第１の面と前記第２の面の交差部分に設けられた上面と、前記第１の面及び前記第２の面にそれぞれ設けられた指示部とを備える電気計測器であって、前記上面の下側には前記第１の面と前記第２の面により逆Ｖ字状の空間部が形成され、複数の電気計測器を積み重ねたときに、上側の電気計測器の第１の面の背面と第２の面の背面がそれぞれ下側の電気計測器の第１の面の表面と第２の面の表面に接触して保持されることを特徴とする積み重ね保管可能な電気測定器。
【請求項２】
前記第１の面及び前記第２の面にそれぞれ前記指示部を設けることに代えて、いずれか一方の面に前記指示部を設けることを特徴とする請求項１記載の積み重ね保管可能な電気測定器。
【請求項３】
前記上面に設けられ、上部に突出する端子を備え、前記空間部に前記端子が収納されることを特徴とする請求項１又は請求項２記載の積み重ね保管可能な電気測定器。
【請求項４】
前記空間部の開口は、前記上面部よりも大きく、かつ、前記端子の大きさは前記空間部よりも小さいことを特徴とする請求項３記載の積み重ね保管可能な電気測定器。
【請求項５】
複数の電気計測器を積み重ねたときの上側の電気計測器の第１の面の背面及び／又は第２の面の背面との接触部分よりも下側になるように、前記指示部が前記第１の面及び／又は第２の面に設けられていることを特徴とする請求項１又は請求項２記載の積み重ね保管可能な電気測定器。
【請求項６】
前記第１の面及び／又は前記第２の面の背面の少なくとも端部には突起が設けられ、複数の電気計測器を積み重ねたときに、前記突起により下側の電気計測器の第１の面の表面及び／又は第２の面の表面に接触して保持されるとともに、前記第１の面及び／又は前記第２の面の表面で前記突起に接触する部分よりも内側に前記指示部が設けられることを特徴とする請求項１又は請求項２記載の積み重ね保管可能な電気測定器。
【発明の詳細な説明】
【０００１】
【発明の属する技術分野】
この発明は、電圧計や電流計などの電気測定器に関し、特に、両面から計測値を読むことができ、積み重ねて保管可能な電気測定器に関する。
【０００２】
【従来の技術】
一般的なアナログ電圧計や電流計はテーブル等に載置して上からメータの指示値を読む。メータを立てておいた場合でも一方の方向から指示値を読むものであった。通常、指示値を読む者はひとりであり問題は生じなかった。
【０００３】
しかし、同時に複数の者が指示値を読む場合がある。例えば、学校の理科の授業において多数の生徒がテーブルを囲んで実験を行うような場合である。このようなときテーブルの両側の生徒がそれぞれ同時にメータを読むことができると、学習の効率が向上する。
【０００４】
同時に複数のものが指示値を読むことができる電気計測器として、特許文献１に記載されたものがある。
【０００５】
両側から指示値を読むことができる電気計測器として、特許文献２に記載されたものがある。
【特許文献１】
特開昭４７−２２１４６号公報
【特許文献２】
実開昭６１−６９１１３号公報
【０００６】
【発明が解決しようとする課題】
特許文献１に記載されたものは、計器の取り付け面を二面以上備えるとともに、これらの面が支柱を中心に回転可能に構成されたものであるが、従来の電圧計や電流計よりも大きくなり、理科の実験の際にテーブル上に載置するには不便であった。また、収納にも場所をとるものであった。
【０００７】
特許文献２に記載されたものは、計器の支持台を透明材料で構成することにより、表面とともに裏面から計器の指示値を読めるようにしたものである。この発明の計器の大きさは従来のものと同じであるが、裏面から読むとき指示値が左右反転してしまい使いづらいものである。
【０００８】
この発明は係る課題を解決するためになされたもので、両面から指示値を読むことができ、積み重ね保管が可能で収納場所をとらない電気測定器を提供することを目的とする。
【０００９】
【課題を解決するための手段】
この発明に係る電気計測器は、それぞれ傾斜している第１の面と第２の面と、前記第１の面と前記第２の面の交差部分に設けられた上面と、前記第１の面及び前記第２の面にそれぞれ設けられた指示部とを備える電気計測器であって、前記上面の下側には前記第１の面と前記第２の面により逆Ｖ字状の空間部が形成され、複数の電気計測器を積み重ねたときに、上側の電気計測器の第１の面の背面と第２の面の背面がそれぞれ下側の電気計測器の第１の面の表面と第２の面の表面に接触して保持されることにより、積み重ね保管を可能にしたものである。
【００１０】
前記第１の面及び前記第２の面にそれぞれ前記指示部を設けることに代えて、いずれか一方の面に前記指示部を設けるようにしてもよい。
【００１１】
前記上面に設けられ、上部に突出する端子を備える場合、前記空間部に前記端子が収納されることが好ましい。
【００１２】
前記空間部の開口は、好ましくは、前記上面部よりも大きく、かつ、前記端子の大きさは前記空間部よりも小さい。
【００１３】
好ましくは、複数の電気計測器を積み重ねたときの上側の電気計測器の第１の面の背面及び／又は第２の面の背面との接触部分よりも下側になるように、前記指示部が前記第１の面及び／又は第２の面に設けられている。
【００１４】
好ましくは、前記第１の面及び／又は前記第２の面の背面の少なくとも端部には突起が設けられ、複数の電気計測器を積み重ねたときに、前記突起により下側の電気計測器の第１の面の表面及び／又は第２の面の表面に接触して保持されるとともに、前記第１の面及び／又は前記第２の面の表面で前記突起に接触する部分よりも内側に前記指示部が設けられる。
【００１５】
【発明の実施の形態】
発明の実施の形態１．
この発明の実施の形態に係る両面式で積み重ね保管可能な電気測定器について、図面を参照して説明する。
【００１６】
図１は発明の実施の形態１に係る電気測定器（例えばアナログ式の電圧計、電流計）の斜視図である。図１（ａ）は電気測定器の一方の面（説明の便宜上、これを第１の面とする）を見た斜視図であり、同図（ｂ）は他方の面（同じくこれを第２の面とする）を見た斜視図である。
図２（ａ）は電気測定器の平面図であり、同図（ｂ）は底面図である。
図３（ａ）は電気測定器の側面図であり、同図（ｂ）は断面図である。
【００１７】
図１〜図３の符号について説明する。１ａと１ｂは互いに交差するようにそれぞれ傾斜して設けられた第１の面と第２の面である。２は第１の面１ａと第２の面１ｂの交差部分に設けられた上面である。３は上面２上に設けられた端子である。４ａと４ｂは第１の面１ａと第２の面１ｂにそれぞれ設けられた電圧計や電流計などのメータである。以下の説明において、メータのことを指示部とも記すことがある。端子３に電線を接続することによりメータ４ａ，４ｂで回路の電圧や電流を計測することができる。端子３からの図示しない内部配線はメータ４ａ，４ｂにそれぞれ接続され、これら２つのメータで同じ測定を行うことができる。この電気測定器の特徴は両面にメータを配置したことにある。この電気測定器を用いると、例えば、学校の理科の授業において多数の生徒がテーブルを囲んで実験を行うような場合、テーブルの両側の生徒が同時にメータを読むことができ、学習の効率が向上する。
【００１８】
図３（ａ）の側面図を参照すると、上面２と第１の面１ａの底面１１ａ及び第２の面１ｂの底面１１ｂは平行であり、第１の面１ａの表面及び背面１２ａは平行で、第２の面１ｂの表面及び背面１２ｂは平行である。第１の面１ａの表面及び第２の面１ｂの表面は、それぞれ二等辺三角形の二辺の一部を構成する（先端が欠けた二等辺三角形状である）。第１の面１ａの背面１２ａ及び第２の面１ｂの背面１２ｂは前記二等辺三角形と相似な二等辺三角形の二辺を構成する。第１の面１ａの背面１２ａ及び第２の面１ｂの背面１２ｂにより、逆Ｖ字状の空間部Ｓが形成されている。
【００１９】
第１の面１ａ及び第２の面１ｂは厚い板状のものであっても、あるいは図２（ｂ）及び図３（ｂ）射出成形により一体成形された樹脂で内部が中空になったものでもよい。図２（ｂ）において第１の面１ａ及び第２の面１ｂに表面はあるが、背面は実質的にはない。しかし、電気測定器を積み重ねた場合、第１の面１ａ及び第２の面１ｂの側面の一部（図２（ｂ）のＡ部）が背面１２として機能する。
【００２０】
この電気測定器は積み重ねることができ、収納の場所をとらないという特徴がある。図４は２つの電気測定器を積み重ねた状態を示す。３つ以上積み重ねることもできる。積み重ねた状態において、上側の電気計測器の第１の面１ａの背面１２ａと第２の面１ｂの背面１２ｂがそれぞれ下側の電気計測器の第１の面１ａの表面と第２の面１ｂの表面に接触し、ここに上側の電気計測器の重量が加わり保持される。電気計測器の第１の面１ａの表面と第２の面１ｂの表面がなす二等辺三角形と、電気計測器の第１の面１ａの背面１２ａと第２の面１ｂの背面１２ｂがなす二等辺三角形（空間部Ｓ）が相似であるために積み重ね状態は安定する（くさびと同じ原理）。空間部Ｓの開口は上面部２よりも大きく、しかも、下側の電気計測器の端子３は、上側の電気計測器の空間部Ｓよりも小さいので端子３には荷重が加わらないとともに、比較的破損しやすい端子３は上側の電気計測器の２つの面により保護される。
【００２１】
図４の点線は、背面１２ａ，１２ｂの端部に突起１３ａ，１３ｂを設け（言い方を変えれば、接触部分以外の面の厚さを薄くし）、突起１３ａ，１３ｂが下側の電気計測器の第１の面１ａの表面と第２の面１ｂの表面に接触し、ここで保持されるようにした例を示す。なお、平板状の背面の場合、これに突起部を設けるようにしてもよい。
【００２２】
指示部４ａ，４ｂの取り付け位置について説明する。電圧計や電流計は精密機器であるからこれらに背面１２ａ，１２ｂが直接接触することは好ましくない。したがって、図４のように、複数の電気計測器を積み重ねたときの上側の電気計測器の第１の面の背面１２ａ、第２の面の背面１２ｂとの接触部分（突起を設けた場合は突起１３ａ，１３ｂとの接触部分）よりも下側に指示部４ａ，４ｂを設けるとよい。この状態において、接触部分の長さは表面１ａ，１ｂの上端から指示部４ａ，４ｂまでの長さよりも短くなる。図２（ｂ）のように背面１２が第１の面１ａ、第２の面１ｂの側面により構成されているとき、実際に接触する部分は図２（ａ）のＢの部分である。この場合、指示部４ａ，４ｂを接触部分Ｂよりも内側に設ければよい。
【００２３】
発明の実施の形態２．
発明の実施の形態２において、第１の面１ａ及び第２の面１ｂにそれぞれ指示部４ａ，４ｂが設けられていた。これに代えて、いずれか一方の面に指示部を設けてもよい。この例を図５に示す。図５において第２の面１ｂには指示部が設けられていない。
【００２４】
本発明は、以上の実施の形態に限定されることなく、特許請求の範囲に記載された発明の範囲内で、種々の変更が可能であり、それらも本発明の範囲内に包含されるものであることは言うまでもない。
【００２５】
【発明の効果】
この発明によれば、それぞれ傾斜している第１の面と第２の面と、前記第１の面と前記第２の面の交差部分に設けられた上面とを備え、前記上面の下側には前記第１の面と前記第２の面により逆Ｖ字状の空間部が形成され、複数の電気計測器を積み重ねたときに、上側の電気計測器の第１の面の背面と第２の面の背面がそれぞれ下側の電気計測器の第１の面の表面と第２の面の表面に接触して保持されるので、電気計測器を積み重ねて保管可能である。
【００２６】
さらに、前記第１の面及び前記第２の面にそれぞれに指示部を設けることにより、両面から指示値を読むことができ、例えば理科教育のグループ学習用に最適である。
【図面の簡単な説明】
【図１】発明の実施の形態１に係る電気測定器の斜視図である。図１（ａ）は電気測定器の第１の面を見た斜視図であり、同図（ｂ）は第２の面を見た斜視図である。
【図２】図２（ａ）は発明の実施の形態１に係る電気測定器の平面図であり、同図（ｂ）は同じく底面図である。
【図３】図３（ａ）は発明の実施の形態１に係る電気測定器の側面図であり、同図（ｂ）は同じく断面図である。
【図４】２つの電気測定器を積み重ねた状態を示す図である。
【図５】発明の実施の形態２に係る電気測定器の斜視図である。図５（ａ）は電気測定器の第１の面を見た斜視図であり、同図（ｂ）は第２の面を見た斜視図である。
【符号の説明】
１ａ  第１の面
１ｂ  第２の面
２    上面
３    端子
４ａ、４ｂ  メータ
１１ａ，１１ｂ  底面
１２ａ，１２ｂ  背面
１３ａ，１３ｂ  突起部
Ａ    第１の面の背面と第２の面の背面における接触部分
Ｂ    第１の面の表面と第２の面の表面における接触部分
Ｓ    逆Ｖ字状の空間部
【図１】
2004150799.tif 000003
【図２】
2004150799.tif 000004
【図３】
2004150799.tif 000005
【図４】
2004150799.tif 000006
【図５】
2004150799.tif 000007